(57)【要約】【課題】スプリングバックに起因した正極タブ及び負極タブの湾曲部の疲労亀裂を抑制しつつ、クラッド部材の剥離を抑制できる。【解決手段】複数の正極タブ２０ｃ及び複数の負極タブ２１ｃにおいて、正極基端部２７ａ及び負極基端部２７ｂよりもタブ側端面１２ａ寄りに設けられる根本部２９のなかには、複数の正極タブ２０ｃ及び複数の負極タブ２１ｃが電極組立体１２の積層方向一端に寄せ集められた状態で折れ曲がっている湾曲部２９ａを有する根本部２９が含まれ、正極タブ２０ｃ及び負極タブ２１ｃにおいて、湾曲部２９ａには正極タブ２０ｃ及び負極タブ２１ｃよりもヤング率の大きい金属材料で構成されるとともに網目形状をなすクラッド部材５０が正極タブ２０ｃ及び負極タブ２１ｃの表面に露出するように埋設されている。【選択図】図３
2020123551.tif 000002
【特許請求の範囲】
【請求項１】
シート状をなす複数の正極とシート状をなす複数の負極とがセパレータにより絶縁された状態で積層された電極組立体と、
前記電極組立体を収容するケースと、
前記ケースに固定されるとともに前記電極組立体と電気を授受する正極端子及び負極端子とを備え、
前記正極は、シート状の正極用金属箔と、前記正極用金属箔の両面の少なくとも一方に設けられている正極用活物質層と、前記正極用金属箔の一辺の一部から突出する正極タブと、を有し、
前記負極は、シート状の負極用金属箔と、前記負極用金属箔の両面の少なくとも一方に設けられている負極用活物質層と、前記負極用金属箔の一辺の一部から突出する負極タブと、を有し、
前記電極組立体は、複数の前記正極タブが寄せ集められた正極タブ群と、複数の前記負極タブが寄せ集められた負極タブ群と、を有し、
前記正極タブ群は、前記電極組立体の積層方向一端に向けて複数の前記正極タブが寄せ集められた正極基端部と、前記正極基端部から前記電極組立体の積層方向他端に向けて折れ曲がる正極曲部と、前記電極組立体の前記正極タブ群及び前記負極タブ群が存在するタブ側端面に沿って前記正極曲部における前記正極基端部と反対側から前記電極組立体の積層方向他端に向けて延出するとともに前記正極端子に固定される正極延出部と、を有し、
前記負極タブ群は、前記電極組立体の積層方向一端に向けて複数の前記負極タブが寄せ集められた負極基端部と、前記負極基端部から前記電極組立体の積層方向他端に向けて折れ曲がる負極曲部と、前記電極組立体の前記タブ側端面に沿って前記負極曲部における前記負極基端部と反対側から前記電極組立体の積層方向他端に向けて延出するとともに前記負極端子に固定される負極延出部と、を有し、
複数の前記正極タブ及び複数の前記負極タブにおいて、前記正極基端部及び前記負極基端部よりも前記タブ側端面寄りに設けられる根本部のなかには、複数の前記正極タブ及び複数の前記負極タブが前記電極組立体の積層方向一端に寄せ集められた状態で折れ曲がっている湾曲部を有する前記根本部が含まれ、
前記正極タブ及び前記負極タブにおいて、前記湾曲部には前記正極タブ及び前記負極タブよりもヤング率の大きい金属材料で構成されるとともに網目形状をなすクラッド部材が前記正極タブ及び前記負極タブの表面に露出するように埋設されていることを特徴とする蓄電装置。
【請求項２】
前記クラッド部材は、前記湾曲部が山折りとなるように折れ曲がる山折り部に埋設されていることを特徴とする請求項１に記載の蓄電装置。
【請求項３】
前記クラッド部材は、前記正極タブ群における前記正極曲部及び前記負極タブ群における前記負極曲部に対応する位置における前記正極タブ及び前記負極タブに埋設されていることを特徴とする請求項１又は請求項２に記載の蓄電装置。
【発明の詳細な説明】
【技術分野】
【０００１】
本発明は、蓄電装置に関する。
【背景技術】
【０００２】
従来、特許文献１に記載されるような蓄電装置が知られている。
上記の蓄電装置は、シート状をなす複数の正極及びシート状をなす複数の負極が複数のセパレータにより絶縁された状態で積層された電極組立体と、電極組立体を収容するケースと、ケースに固定されるとともに電極組立体と電気を授受する正極端子及び負極端子とを備えている。
【０００３】
上記の電極組立体の正極は、シート状の正極用金属箔（例えばアルミニウム箔）と、正極用金属箔の両面に設けられている正極用活物質層とを有している。上記の電極組立体の負極は、シート状の負極用金属箔（例えば銅箔）と、負極用金属箔の両面に設けられている負極用活物質層とを有している。
【０００４】
また、電極組立体は、正極を構成する正極用金属箔の一辺の一部から突出した正極タブが寄せ集められた正極タブ群と、負極を構成する負極用金属箔の一辺の一部から突出した負極タブが寄せ集められた負極タブ群とを有している。正極タブ群は、電極組立体の積層方向一端に向けて複数の正極タブが寄せ集められた正極基端部と、正極基端部から電極組立体の積層方向他端に向けて折れ曲がる正極曲部とを有している。また、正極タブ群は、電極組立体の正極タブ群及び負極タブ群が存在するタブ側端面に沿って正極曲部における正極基端部と反対側から電極組立体の積層方向他端に向けて延出するとともに正極端子に固定される正極延出部と、を有している。負極タブ群は、電極組立体の積層方向一端に向けて複数の負極タブが寄せ集められた負極基端部と、負極基端部から電極組立体の積層方向他端に向けて折れ曲がる負極曲部とを有している。また、負極タブ群は、電極組立体のタブ側端面に沿って負極曲部における負極基端部と反対側から電極組立体の積層方向他端に向けて延出するとともに負極端子に固定される負極延出部と、を有している。
【０００５】
複数の正極タブ及び複数の負極タブにおいて、正極基端部及び負極基端部よりもタブ側端面寄りの根本部のなかには、複数の正極タブ及び複数の負極タブが電極組立体の積層方向一端に向けて寄せ集められた状態で折れ曲がっている湾曲部を有する根本部が含まれている。
【０００６】
上記の構成を備えた蓄電装置において、電極組立体がケースに収容され、且つ正極端子及び負極端子がケースと、各タブ群の正極延出部及び負極延出部とに固定された状態となるため、複数の正極タブ及び複数の負極タブの湾曲部には、残留応力が作用する。よって、根本部に湾曲部を有する複数の正極タブ及び複数の負極タブは、折れ曲がった状態からまっすぐ延びるように戻ろうとする。すなわち、複数の正極タブ及び複数の負極タブの湾曲部にスプリングバックが発生する。そのため、電極組立体をケースに収容した状態で、且つ複数の正極タブ及び複数の負極タブの湾曲部に残留応力が作用している状態で蓄電装置が振動することで正極タブ及び負極タブの湾曲部に繰り返し荷重が作用してしまうと、複数の正極タブ及び複数の負極タブの湾曲部に疲労亀裂が発生する虞がある。ひいては、疲労亀裂が発生した正極タブ及び負極タブの電気抵抗が増加してしまい、蓄電装置の性能が低下してしまう。
【０００７】
複数の正極タブ及び複数の負極タブの湾曲部の疲労亀裂を抑制するための具体案として、特許文献２に記載される蓄電装置としての電池の集電体にステンレス鋼（ＳＵＳ）等で構成されたクラッド部材を埋設することが考えられる。これにより、集電体の見かけ上のヤング率が大きくなるため、集電体を電極組立体の積層方向一端に寄せ集めて正極タブ群及び負極タブ群を構成したとしても集電体のスプリングバック量が抑制され、正極タブ及び負極タブの湾曲部の疲労亀裂を抑制できる。
【先行技術文献】
【特許文献】
【０００８】
【特許文献１】特開２０１５−３２５４９号公報
【特許文献２】特開２００２−２６０６７０号公報
【発明の概要】
【発明が解決しようとする課題】
【０００９】
ところで、正極タブ及び負極タブに埋設したクラッド部材が正極タブ及び負極タブから剥離してしまうと、正極タブの湾曲部及び負極タブの湾曲部のスプリングバック量を抑制し難くなる。
【００１０】
本発明は、このような従来の技術に存在する問題点に着目してなされたものであり、その目的は、スプリングバックに起因した正極タブ及び負極タブの湾曲部の疲労亀裂を抑制しつつ、クラッド部材の剥離を抑制できる蓄電装置を提供することにある。
【課題を解決するための手段】
【００１１】
上記課題を解決する蓄電装置は、シート状をなす複数の正極とシート状をなす複数の負極とがセパレータにより絶縁された状態で積層された電極組立体と、前記電極組立体を収容するケースと、前記ケースに固定されるとともに前記電極組立体と電気を授受する正極端子及び負極端子とを備え、
前記正極は、シート状の正極用金属箔と、前記正極用金属箔の両面の少なくとも一方に設けられている正極用活物質層と、前記正極用金属箔の一辺の一部から突出する正極タブと、を有し、
前記負極は、シート状の負極用金属箔と、前記負極用金属箔の両面の少なくとも一方に設けられている負極用活物質層と、前記負極用金属箔の一辺の一部から突出する負極タブと、を有し、
前記電極組立体は、複数の前記正極タブが寄せ集められた正極タブ群と、複数の前記負極タブが寄せ集められた負極タブ群と、を有し、
前記正極タブ群は、前記電極組立体の積層方向一端に向けて複数の前記正極タブが寄せ集められた正極基端部と、前記正極基端部から前記電極組立体の積層方向他端に向けて折れ曲がる正極曲部と、前記電極組立体の前記正極タブ群及び前記負極タブ群が存在するタブ側端面に沿って前記正極曲部における前記正極基端部と反対側から前記電極組立体の積層方向他端に向けて延出するとともに前記正極端子に固定される正極延出部と、を有し、
前記負極タブ群は、前記電極組立体の積層方向一端に向けて複数の前記負極タブが寄せ集められた負極基端部と、前記負極基端部から前記電極組立体の積層方向他端に向けて折れ曲がる負極曲部と、前記電極組立体の前記タブ側端面に沿って前記負極曲部における前記負極基端部と反対側から前記電極組立体の積層方向他端に向けて延出するとともに前記負極端子に固定される負極延出部と、を有し、
複数の前記正極タブ及び複数の前記負極タブにおいて、前記正極基端部及び前記負極基端部よりも前記タブ側端面寄りに設けられる根本部のなかには、複数の前記正極タブ及び複数の前記負極タブが前記電極組立体の積層方向一端に寄せ集められた状態で折れ曲がっている湾曲部を有する前記根本部が含まれ、
前記正極タブ及び前記負極タブにおいて、前記湾曲部には前記正極タブ及び前記負極タブよりもヤング率の大きい金属材料で構成されるとともに網目形状をなすクラッド部材が前記正極タブ及び前記負極タブの表面に露出するように埋設されている。
【００１２】
これによれば、正極タブの湾曲部及び負極タブの湾曲部には、正極タブ及び負極タブよりもヤング率が大きいクラッド部材が埋設されている。そのため、正極タブ及び負極タブの見かけ上のヤング率を向上させることができる。そのため、正極タブ及び負極タブの湾曲部のスプリングバック量は小さくなることから、スプリングバックに起因して正極タブ及び負極タブの湾曲部の疲労亀裂を抑制できる。
【００１３】
また、クラッド部材の網目形状をなすために設けられている複数の孔には、正極タブ及び負極タブの一部が入り込んだ状態となる。このため、アンカー効果によりクラッド部材と正極タブ及び負極タブとの締結力が強くなる。よって、クラッド部材が網目形状であることで正極タブ及び負極タブからクラッド部材が剥離することが抑制される。したがって、スプリングバックに起因した正極タブ及び負極タブの湾曲部の疲労亀裂を抑制しつつ、クラッド部材の剥離を抑制できる。
【００１４】
上記の蓄電装置において、前記クラッド部材は、前記湾曲部が山折りとなるように折れ曲がる山折り部に埋設されているとよい。
正極タブ及び負極タブの湾曲部には、山折りとなるように折れ曲がる山折り部と谷折りとなるように折れ曲がる谷折り部とが存在する。湾曲部の山折り部には、引張残留応力が発生しており、湾曲部の谷折り部には、圧縮残留応力が発生している。正極タブ及び負極タブの湾曲部のスプリングバックは、湾曲部の山折り部に発生する引張残留応力によって生じると考えられる。
【００１５】
その点、これによれば、クラッド部材が正極タブの湾曲部及び負極タブの湾曲部の山折り部に埋設されている。そのため、湾曲部の引張残留応力がクラッド部材により低減される。したがって、スプリングバックに起因した正極タブ及び負極タブの湾曲部の疲労亀裂を抑制できる。
【００１６】
上記の蓄電装置において、前記クラッド部材は、前記正極タブ群における前記正極曲部及び前記負極タブ群における前記負極曲部に対応する位置における前記正極タブ及び前記負極タブに埋設されているとよい。
【００１７】
正極タブ群における正極曲部及び負極タブ群における負極曲部においてもスプリングバックが発生することが考えられる。
その点、これによれば、正極タブ群における正極曲部及び負極タブ群における負極曲部に対応する位置における正極タブ及び負極タブにもクラッド部材が埋設されている。そのため、正極タブ群における正極曲部及び負極タブ群における負極曲部におけるスプリングバック量を小さくすることができ、ひいては正極タブ群及び負極タブ群の疲労亀裂を抑制できる。
【発明の効果】
【００１８】
この発明によれば、スプリングバックに起因した正極タブ及び負極タブの湾曲部の疲労亀裂を抑制しつつ、クラッド部材の剥離を抑制できる。
【図面の簡単な説明】
【００１９】
【図１】蓄電装置の分解斜視図。
【図２】電極組立体の分解斜視図。
【図３】（ａ），（ｂ）は、蓄電装置の断面図。
【図４】正極タブ及び負極タブの湾曲部に埋設されたクラッド部材を示した斜視図。
【図５】（ａ），（ｂ）は、蓄電装置の変更例における断面図。
【発明を実施するための形態】
【００２０】
以下、蓄電装置を二次電池に具体化した実施形態を図１〜図４にしたがって説明する。
図１に示すように、蓄電装置としての二次電池１０は、ケース１１を備えている。二次電池１０は、ケース１１に収容された電極組立体１２及び電解液（図示略）を備えている。ケース１１は、有底四角筒状のケース本体１３と、ケース本体１３の開口部１３ａを閉塞する板状の蓋１４とを有している。ケース１１を構成するケース本体１３及び蓋１４は、何れも金属製（例えば、ステンレスやアルミニウム）である。また、本実施形態の二次電池１０は、外観が角型をなす角型電池である。また、本実施形態の二次電池１０は、リチウムイオン二次電池である。
【００２１】
二次電池１０は、電極組立体１２と電気を授受する正極端子１５及び負極端子１６を備えている。正極端子１５及び負極端子１６は、蓋１４に所定間隔を空けて並設された一対の孔１４ａからケース１１の外部に露出される。また、正極端子１５及び負極端子１６には、ケース１１との間を絶縁するためのリング状の絶縁リング１７ａがそれぞれ取り付けられている。これにより、正極端子１５及び負極端子１６は、ケース１１に固定されている。なお、正極端子１５及び負極端子１６は、それぞれ同じ極性を有する正極導電部材及び負極導電部材を有している。
【００２２】
蓋１４は、厚さ方向に貫通する丸孔状の注液口１４ｃを備えている。注液口１４ｃは、ケース１１に電解液を注入するために用いられる。注液口１４ｃは、封止部材１９によって封止され、注液口１４ｃのシール性が維持されている。
【００２３】
図２、図３（ａ）、及び図３（ｂ）に示すように、電極組立体１２は、シート状をなす複数の正極２０と、シート状をなす複数の負極２１と、シート状をなす複数のセパレータ２３とを有している。電極組立体１２は、複数の正極２０と複数の負極２１とをセパレータ２３により絶縁された状態で積層されることで構成されている。なお、正極２０、負極２１、及びセパレータ２３の積層される方向を電極組立体１２の積層方向とする。
【００２４】
図２に示すように、正極２０は、シート状の正極用金属箔（例えばアルミニウム箔）２０ａと、正極用金属箔２０ａの両面に設けられている正極用活物質層２０ｂと、正極用金属箔２０ａの一辺の一部から突出する帯状の正極タブ２０ｃとを有している。正極タブ２０ｃは、正極用金属箔２０ａそのもので構成されている。
【００２５】
負極２１は、シート状の負極用金属箔（例えば銅箔）２１ａと、負極用金属箔２１ａの両面に設けられている負極用活物質層２１ｂと、負極用金属箔２１ａの一辺の一部から突出する帯状の負極タブ２１ｃとを有している。負極タブ２１ｃは、負極用金属箔２１ａそのもので構成されている。複数の正極タブ２０ｃ及び複数の負極タブ２１ｃは、正極２０と負極２１とが積層された状態で正極タブ２０ｃと負極タブ２１ｃとが重ならない位置に存在する。
【００２６】
図３（ａ）及び図３（ｂ）に示すように、二次電池１０としては、正極２０の正極用活物質層２０ｂに対して負極２１の負極用活物質層２１ｂが電極組立体１２の積層方向に対向しなければならない。そのため、負極２１の負極用活物質層２１ｂは、正極２０の正極用活物質層２０ｂよりも大きく形成される。具体的には、電極組立体１２の積層方向において、正極用金属箔２０ａに設けられた正極用活物質層２０ｂを負極用金属箔２１ａに設けられた負極用活物質層２１ｂが覆うことができるように負極用活物質層２１ｂが正極用活物質層２０ｂよりも大きく設定されている。このため、電極組立体１２において、負極２１の負極用活物質層２１ｂの外縁部は、正極用活物質層２０ｂの外縁よりも外側にはみ出した塗工延出部４０を構成する。
【００２７】
図３（ａ）に示すように、電極組立体１２は、正極タブ群２５を備えている。正極タブ群２５は、複数の正極タブ２０ｃを電極組立体１２の積層方向に寄せ集められることで構成されている。
【００２８】
正極タブ群２５は、電極組立体１２の積層方向一端に向けて複数の正極タブ２０ｃが寄せ集められた正極基端部２７ａと、正極基端部２７ａから電極組立体１２の積層方向他端に向けて折れ曲がる正極曲部２４ａとを有している。また、正極タブ群２５は、電極組立体１２の正極タブ群２５及び負極タブ群２６が存在するタブ側端面１２ａに沿って正極曲部２４ａの正極基端部２７ａと反対側から電極組立体１２の積層方向他端に向けて延出する正極延出部２８ａを有している。電極組立体１２のタブ側端面１２ａは、負極用金属箔２１ａの負極タブ２１ｃが設けられている一辺と、セパレータ２３の一辺とが電極組立体１２の積層方向に沿って寄せ集められることで構成されている。また、正極タブ群２５の正極延出部２８ａには、正極端子１５の正極導電部材が固定されている。
【００２９】
図３（ｂ）に示すように、電極組立体１２は、負極タブ群２６を備えている。負極タブ群２６は、複数の負極タブ２１ｃを電極組立体１２の積層方向に寄せ集められることで構成されている。
【００３０】
負極タブ群２６は、電極組立体１２の積層方向一端に向けて複数の負極タブ２１ｃが寄せ集められた負極基端部２７ｂと、負極基端部２７ｂから電極組立体１２の積層方向他端に向けて折れ曲がる負極曲部２４ｂとを有している。また、負極タブ群２６は、電極組立体１２のタブ側端面１２ａに沿って負極曲部２４ｂの負極基端部２７ｂと反対側から電極組立体１２の積層方向に向けて延出する負極延出部２８ｂを有している。また、負極タブ群２６の負極延出部２８ｂには、負極端子１６の負極導電部材が固定されている。
【００３１】
図３（ａ）及び図３（ｂ）に示すように、複数の正極タブ２０ｃ及び複数の負極タブ２１ｃは、正極基端部２７ａ及び負極基端部２７ｂよりもタブ側端面１２ａ寄りに複数の根本部２９を有している。複数の根本部２９のなかには、複数の正極タブ２０ｃ及び複数の負極タブ２１ｃが電極組立体１２の積層方向一端に寄せ集められた状態で折れ曲がっている湾曲部２９ａを有する根本部２９が含まれている。本実施形態では、全ての正極タブ２０ｃの根本部２９（図３（ａ）参照）は湾曲部２９ａを有している。負極タブ２１ｃの根本部２９のうち、電極組立体１２の積層方向一端に位置するもの（図４参照）を除いて複数の負極タブ２１ｃの根本部２９は湾曲部２９ａを有している。なお、電極組立体１２の積層方向一端に位置する負極タブ２１ｃは、ケース本体１３の側壁に沿って蓋１４に向けてまっすぐ延びている（図３（ｂ）参照）。
【００３２】
正極タブ２０ｃにおける根本部２９の湾曲部２９ａは、正極タブ２０ｃが山折りとなるように折れ曲がる山折り部２０ｄと、谷折りとなるように折れ曲がる谷折り部２０ｅとを有している。負極タブ２１ｃにおける根本部２９の湾曲部２９ａは、負極タブ２１ｃが山折りとなるように折れ曲がる山折り部２１ｄと、谷折りとなるように折れ曲がる谷折り部２１ｅとを有している。ここで、山折り部２０ｄ，２１ｄは、電極組立体１２の積層方向他端から電極組立体１２の積層方向に沿って見て山折りとなるように折れ曲がっている。谷折り部２０ｅ，２１ｅは、電極組立体１２の積層方向一端から電極組立体１２の積層方向に沿って見て谷折りとなるように折れ曲がっている。
【００３３】
図３（ａ）に示すように、正極タブ２０ｃにおいて、湾曲部２９ａの厚さ方向における一方の面には、クラッド部材５０が埋設されている。クラッド部材５０は、正極タブ２０ｃよりもヤング率の大きい金属材料で構成されている。具体的には、クラッド部材５０は、ニッケル、電磁軟鋼、ステンレス鋼、及び冷間圧延鋼板等により構成されている。クラッド部材５０は、正極タブ２０ｃの湾曲部２９ａの山折り部２０ｄ側の面に設けられている。クラッド部材５０は、正極タブ２０ｃの湾曲部２９ａの山折り部２０ｄが設けられる面のうち正極用活物質層２０ｂとの境界部分から湾曲部２９ａの山折り部２０ｄを覆う位置までの領域に埋設されている。
【００３４】
図３（ｂ）に示すように、負極タブ２１ｃにおいて、湾曲部２９ａの厚さ方向における一方の面には、クラッド部材５０が埋設されている。クラッド部材５０は、負極タブ２１ｃの湾曲部２９ａの山折り部２１ｄ側の面に設けられている。クラッド部材５０は、負極タブ２１ｃの湾曲部２９ａの山折り部２１ｄが設けられる面のうち負極用活物質層２１ｂとの境界部分（図２参照）から湾曲部２９ａの山折り部２１ｄを覆う位置までの領域に埋設されている。
【００３５】
図２及び図４に示すように、クラッド部材５０は、網目形状をなしている。クラッド部材５０は、正極タブ２０ｃ及び負極タブ２１ｃの表面に露出するように正極タブ２０ｃ及び負極タブ２１ｃに埋設されている。
【００３６】
図４に示すように、クラッド部材５０は、正極タブ２０ｃ及び負極タブ２１ｃに埋設された状態で、正極タブ２０ｃ及び負極タブ２１ｃの表面に露出し、且つ正極タブ２０ｃ及び負極タブ２１ｃの表面と面一となるように正極タブ２０ｃ及び負極タブ２１ｃに埋設されている。クラッド部材５０が正極タブ２０ｃ及び負極タブ２１ｃに埋設された状態で、クラッド部材５０が網目形状をなすために設けられている複数の孔５１には、正極タブ２０ｃ及び負極タブ２１ｃの一部が入り込んだ状態で保持されている。なお、クラッド部材５０は、例えばシーム溶接など一般的に公知であるクラッド部材５０の埋設方法を用いて正極タブ２０ｃ及び負極タブ２１ｃに埋設されている。
【００３７】
本実施形態では以下の作用及び効果を得ることができる。
（１）本実施形態では、正極タブ２０ｃの湾曲部２９ａ及び負極タブ２１ｃの湾曲部２９ａには、正極タブ２０ｃ及び負極タブ２１ｃよりもヤング率が大きいクラッド部材５０が埋設されている。そのため、正極タブ２０ｃ及び負極タブ２１ｃの見かけ上のヤング率を向上させることができる。そのため、正極タブ２０ｃ及び負極タブ２１ｃの湾曲部２９ａのスプリングバック量は小さくなることから、スプリングバックに起因した正極タブ２０ｃ及び負極タブ２１ｃの湾曲部２９ａの疲労亀裂を抑制できる。
【００３８】
また、クラッド部材５０の網目形状をなすために設けられている複数の孔５１には、正極タブ２０ｃ及び負極タブ２１ｃの一部が入り込んだ状態となる。このため、アンカー効果によりクラッド部材５０と正極タブ２０ｃ及び負極タブ２１ｃとの締結力が強くなる。よって、クラッド部材５０が網目形状であることで正極タブ２０ｃ及び負極タブ２１ｃからクラッド部材５０が剥離することが抑制される。したがって、スプリングバックに起因した正極タブ２０ｃ及び負極タブ２１ｃの湾曲部２９ａの疲労亀裂を抑制しつつ、クラッド部材５０の剥離を抑制できる。
【００３９】
（２）正極タブ２０ｃ及び負極タブ２１ｃの湾曲部２９ａには、山折りとなるように折れ曲がる山折り部２０ｄ，２１ｄと谷折りとなるように折れ曲がる谷折り部２０ｅ，２１ｅとが存在する。湾曲部２９ａの山折り部２０ｄ，２１ｄには、引張残留応力が発生しており、湾曲部２９ａの谷折り部２０ｅ，２１ｅには、圧縮残留応力が発生している。正極タブ２０ｃ及び負極タブ２１ｃの湾曲部２９ａのスプリングバックは、湾曲部２９ａの山折り部２０ｄ，２１ｄに発生する引張残留応力によって生じると考えられる。
【００４０】
その点、これによれば、クラッド部材５０が正極タブ２０ｃの湾曲部２９ａ及び負極タブ２１ｃの湾曲部２９ａの山折り部２０ｄ，２１ｄに埋設されている。そのため、湾曲部２９ａの引張残留応力がクラッド部材５０により低減される。したがって、スプリングバックに起因した正極タブ２０ｃ及び負極タブ２１ｃの湾曲部２９ａの疲労亀裂を抑制できる。
【００４１】
（３）特許文献２に記載される蓄電装置としての電池は、正極タブ及び負極タブとしての集電体に熱伝導性の低い材料であるステンレス鋼等により構成されるクラッド部材が埋設されている。これにより、集電体の先端を集電端子に溶接するときにクラッド部材において発熱しやすくなる。すなわち、クラッド部材を含む集電体の先端部を集電端子に対して溶接しやすくなる。ところで、クラッド部材を含む集電体の先端部を集電端子に対して溶接するとクラッド部材からスパッタ等の溶接異物が発生し、溶接異物が電極組立体に向けて落下すると短絡するおそれがある。
（４）本実施形態では、正極用金属箔２０ａがアルミニウム箔、負極用金属箔２１ａが銅箔、クラッド部材５０がニッケル、電磁軟鋼、ステンレス鋼、及び冷間圧延鋼板により構成されている。すなわち、正極用金属箔２０ａ及び負極用金属箔２１ａは、クラッド部材５０よりも熱膨張し易い材質で構成されている。そのため、例えばシーム溶接によりクラッド部材５０を正極タブ２０ｃ及び負極タブ２１ｃに埋設する場合、熱により正極タブ２０ｃ及び負極タブ２１ｃが膨張した後、冷えてクラッド部材５０に対して正極タブ２０及び負極タブ２１ｃが食い込む。そのため、正極タブ２０ｃ及び負極タブ２１ｃとクラッド部材５０との接合性を高めることができる。
【００４２】
その点、本実施形態では、クラッド部材５０は、正極タブ２０ｃの根本部２９の湾曲部２９ａ及び負極タブ２１ｃの根本部２９の湾曲部２９ａといった正極端子１５及び負極端子１６との溶接部位に関わらない箇所に設けられている。よって、スプリングバックに起因した正極タブ２０ｃ及び負極タブ２１ｃの湾曲部２９ａの疲労亀裂を抑制しつつ、二次電池１０の短絡を防止することができる。
【００４３】
なお、本実施形態は、以下のように変更して実施することができる。本実施形態及び以下の変更例は、技術的に矛盾しない範囲で互いに組み合わせて実施することができる。
〇  クラッド部材５０が埋設される位置を以下のようにしてもよい。
【００４４】
図５（ａ）に示すように、クラッド部材５０は、正極タブ群２５における正極曲部２４ａに対応する位置における正極タブ２０ｃに埋設されていてもよい。なお、正極タブ群２５の正極曲部２４ａは、電極組立体１２の積層方向一端から電極組立体１２の積層方向に沿って見て山折りをなすように折れ曲がっている。クラッド部材５０は、正極タブ２０ｃの正極曲部２４ａに対応する位置における山折りとなっている部分に設けられている。
【００４５】
図５（ｂ）に示すように、クラッド部材５０は、負極タブ群２６における負極曲部２４ｂに対応する位置における負極タブ２１ｃに埋設されていてもよい。なお、負極タブ群２６の負極曲部２４ｂは、電極組立体１２の積層方向一端から電極組立体１２の積層方向に沿って見て山折りをなすように折れ曲がっている。クラッド部材５０は、負極タブ２１ｃの負極曲部２４ｂに対応する位置における山折りとなっている部分に設けられている。
【００４６】
このように変更することで本実施形態と同様の効果が得られるとともに以下の効果を得ることができる。
正極タブ群２５における正極曲部２４ａ及び負極タブ群２６における負極曲部２４ｂにおいてもスプリングバックが発生することが考えられる。
【００４７】
その点、本変形例では、正極タブ群２５における正極曲部２４ａ及び負極タブ群２６における負極曲部２４ｂに対応する位置における正極タブ２０ｃ及び負極タブ２１ｃにもクラッド部材５０が埋設されている。そのため、正極タブ群２５における正極曲部２４ａ及び負極タブ群２６における負極曲部２４ｂにおけるスプリングバック量を小さくすることができ、ひいては正極タブ群２５及び負極タブ群２６の疲労亀裂を抑制できる。
【００４８】
〇  正極タブ２０ｃにおける正極曲部２４ａ及び負極タブ２１ｃにおける負極曲部２４ｂに対応する位置における谷折りをなすように折れ曲がっている部分にクラッド部材５０を埋設させてもよい。
【００４９】
〇  クラッド部材５０は、正極タブ２０ｃの湾曲部２９ａの厚さ方向における両面に設けられていてもよい。また、クラッド部材５０は、負極タブ２１ｃの湾曲部２９ａの厚さ方向における両面に設けられていてもよい。
【００５０】
〇  湾曲部２９ａの谷折り部２０ｅ，２１ｅのみにクラッド部材５０を埋設してもよい。
〇  クラッド部材５０には、複数の孔５１が形成されているが、孔５１の数は適宜変更してもよい。クラッド部材５０が網目形状をなしていればどのように変更してもよい。
【００５１】
〇  正極２０において、正極用活物質層２０ｂは正極用金属箔２０ａの片面にのみ存在してもよい。負極２１において、負極用活物質層２１ｂは負極用金属箔２１ａの片面にのみ存在してもよい。すなわち、正極用活物質層２０ｂ及び負極用活物質層２１ｂは、正極用金属箔２０ａ及び負極用金属箔２１ａの少なくとも一方に設けられていればよい。
【００５２】
〇  負極タブ群２６を構成する複数の負極タブ２１ｃのうち電極組立体１２の積層方向一端に位置する負極タブ２１ｃの根本部２９には、湾曲部２９ａが設けられていなかったが、これに限らない。例えば、負極タブ群２６の負極基端部２７ｂを形成する位置を、本実施形態から電極組立体１２の中央部に向けて若干移動させることで電極組立体１２の積層方向一端に位置する負極タブ２１ｃにも湾曲部２９ａが形成される。この場合においても湾曲部２９ａにクラッド部材５０を埋設させることが好ましい。なお、正極タブ群２５と負極タブ群２６との構成を逆にしてもよい。
【００５３】
〇  正極用金属箔２０ａはアルミニウム箔であり、負極用金属箔２１ａは銅箔であったが、これに限らない。高導電性を有し、クラッド部材５０よりもヤング率が低い金属で構成されていればどのような材質で正極用金属箔２０ａ及び負極用金属箔２１ａを構成してもよい。
【００５４】
〇  二次電池１０は、リチウムイオン二次電池以外の他の二次電池であってもよい。要するに正極用活物質層２０ｂと負極用活物質層２１ｂとの間をイオンが移動するとともに電荷の授受を行うものであればよい。
【００５５】
〇  蓄電装置は、二次電池１０でなく、電気二重層キャパシタ等の他の蓄電装置に適用してもよい。
【符号の説明】
【００５６】
１０…蓄電装置としての二次電池、１１…ケース、１２…電極組立体、１２ａ…タブ側端面、１５…正極端子、１６…負極端子、２０…正極、２０ａ…正極用金属箔、２０ｂ…正極用活物質層、２０ｃ…正極タブ、２０ｄ…山折り部、２１…負極、２１ａ…負極用金属箔、２１ｂ…負極用活物質層、２１ｃ…負極タブ、２１ｄ…山折り部、２３…セパレータ、２４ａ…正極曲部、２４ｂ…負極曲部、２５…正極タブ群、２６…負極タブ群、２７ａ…正極基端部、２７ｂ…負極基端部、２８ａ…正極延出部、２８ｂ…負極延出部、２９…根本部、２９ａ…湾曲部、５０…クラッド部材。
【図１】
2020123551.tif 000003
【図２】
2020123551.tif 000004
【図３】
2020123551.tif 000005
【図４】
2020123551.tif 000006
【図５】
2020123551.tif 000007